(57)【要約】      （修正有）【課題】安定性に優れ、マウスや紙とペンを使用する場所を確保したノートパソコンデスクを提供する。【解決手段】デスク板１０を含み、支持カバーを回転させて回転ブロックとスライド板とを連動させて回転させ、押しブロックを押して噛み合いにより歯車を連動させて回転させ、歯車は噛み合いにより引っ掛かりブロックを連動させて後方へ移動させ、本発明のデスクの面は大きくて且つ位置固定部品９０１の位置制限があり、ノートパソコンを使用するときにマウスを操作するスペースが十分あり、底部には伸縮板部品９０２があってスライド板の上に紙と筆あるいはお弁当などの物を置くことができ、調節部品はデスクの面の高さと角度を調節でき、歯車とラックとの伝動の調節方法で使用状態において揺れにくいことを保証する。【選択図】図１
2020179127.tif 000002
【特許請求の範囲】
【請求項１】
正面視で、デスク板を含み、前記デスク板の頂部端面にはノートパソコンの位置を固定できる位置固定部品が設置され、前記デスク板には物を置くことができる伸縮板部品が設置され、前記デスク板の底部端面には前後左右に対称となる四つの固定ベースが設置され、前記固定ベースには回転ブロックが回転できるように装着され、前記回転ブロックの中の底部端面には支持カバーが設置され、前記支持カバーの中には前記デスク板の高さと角度を調節できる調節部品が設置され、前記回転ブロックは回転柱により前記固定ベースと連結され、前記固定ベースの中には位置制限溝が設置され、前記回転柱には位置制限ブロックが設置され、前記位置制限ブロックは前記位置制限溝とスライドできるように連結され、前記デスク板の中には上下に貫通している二つの放熱チャンバが設置され、前記放熱チャンバの内壁には均一的に分布している三つの支持ロッドが設置され、前記支持ロッドの間にはファン底ブロックが設置され、前記放熱チャンバの内壁の間にはフィルターが設置され、前記フィルターと前記ファン底ブロックとの間にはファンが回転できるように装着され、前記デスク板の中には前記ファンの回転を制御できる二つの対称的な回転部品が設置され、前記デスク板の頂部端面にはマウスバッドが設置され、前記デスク板の頂部端面の前記マウスバッドの前側に位置しているところには右手首を保護する右シリカゲルブロックが設置され、前記デスク板の頂部端面には左手首を保護する左シリカゲルブロックが設置されていることを特徴とするノートパソコンデスク。
【請求項２】
前記調節部品は前記支持カバーとスライドできるように連結されている支持柱を含み、前記支持柱の後側端面にはラックが設置され、前記支持カバーの後側端面の中には押しブロックが弾性を持つように装着され、前記押しブロックの上方には弾力チャンバが設置され、前記弾力チャンバの中には引っ掛かりブロックが弾性を持つように装着され、前記引っ掛かりブロックは前記支持柱と噛み合うことができ、前記引っ掛かりブロックと前記押しブロックとの間は歯車により噛み合うように連結され、支持柱の長さを調節する時に押しブロックを押して噛み合いにより歯車を連動させて回転させ、歯車は噛み合いにより引っ掛かりブロックを連動させて後方へ移動させ、引っ掛かりブロックとラックとの噛み合いが解除された後、支持柱が上下に移動して調節でき、位置制限ブロックと位置制限溝との位置制限で支持カバーの揺れ動かく幅を制御できることを特徴とする請求項１に記載のノートパソコンデスク。
【請求項３】
前記伸縮板部品は前記デスク板の底部端面に固定的に装着されている八つの固定ブロックを含み、一番後側の前記固定ブロックの右側端面には後阻み板が設置され、左右両側の前記固定ブロックの間にはスライド板がスライドできるように装着され、前記スライド板の底部端面にはスライド板ブロックが設置され、前記デスク板の前側端面には磁力溝が設置され、前記磁力溝の左右壁の間には回転阻み板が回転できるように装着され、前記磁力溝の後側壁の中には磁石が設置され、前記磁石は前記回転阻み板と吸着し合い、これによりスライド板を使用しない時に、回転阻み板は磁石に吸い付けられてスライド板を阻み、スライド板の滑り出ることを避け、スライド板を使用するとき、調節部品を調節し、デスク板を水平に保ち、回転阻み板を手動で上方へ半周回転させて磁石に吸いつけられ、スライド板ブロックによりスライド板が一部滑り出ることを特徴とする請求項１に記載のノートパソコンデスク。
【請求項４】
前記回転部品９０４が二つあり、左側の前記回転部品９０４を例とし、前記回転部品９０４は前記放熱チャンバ１３の左側に位置している伝動チャンバ３３を含み、前記伝動チャンバ３３の左側壁の中にはモーター３１が設置され、前記モーター３１の右側の出力軸が側傘歯車３２と連結され、前記伝動チャンバ３３の上下壁の間には回転軸３７が回転できるように装着され、前記回転軸３７にはベルトプーリ３８と底傘歯車４０とが設置され、前記底傘歯車４０が前記側傘歯車３２と噛み合っており、前記ベルトプーリ３８と前記ファン４２との間は輪ゴムにより連結され、これによりモーター３１が起動する時、側傘歯車３２を連動させて回転させ、側ベベルギヤ３２は噛み合いにより底傘歯車４０と、ベルトプーリ３８と、回転軸３７とを連動させて回転させ、ベルトプーリ３８がベルトの伝動によりファン４２を連動させて回転させることを特徴とする請求項１に記載のノートパソコンデスク。
【請求項５】
前記位置固定部品は前記デスク板の頂部端面に位置している二つの上方へ開口した阻み板溝を含み、前記阻み板溝の内壁の間には位置制限阻み板が回転できるように装着され、前記デスク板の頂部端面には後阻みブロックが設置され、前記後阻みブロックの前側端面には斜面ブロックが設置され、これによりノートパソコンを置く時、二つのところの位置制限阻み板を上方へ回転させ、ノートパソコンを斜面ブロックに置くことを特徴とする請求項１に記載のノートパソコンデスク。
【発明の詳細な説明】
【技術分野】
【０００１】
本発明はノートパソコン付属品の分野を取り上げて、具体的にはノートパソコンデスクである。
【背景技術】
【０００２】
ベッドでノートパソコンを使う時、ノートパソコンデスクを利用してノートパソコンを置き、しかし、ほとんどの調節できるノートパソコンデスクは安定性が悪く、使用する時前後に揺れ動き、非常に不便であり、且つデスクの面は小さく、マウスを使用する時に不便であり、紙とペンを使用するときも相応する空いた場所がない。
【先行技術文献】
【特許文献】
【０００３】
【特許文献１】中国特許出願公開第１０４０６３０２６号明細書
【発明の概要】
【発明が解決しようとする課題】
【０００４】
本発明はノートパソコンデスクを提供し、従来技術における上記欠点を解消することを目的とする。
【課題を解決するための手段】
【０００５】
本発明の実施例のノートパソコンデスクは、デスク板を含み、前記デスク板の頂部端面にはノートパソコンの位置を固定できる位置固定部品が設置され、前記デスク板には物を置くことができる伸縮板部品が設置され、前記デスク板の底部端面には前後左右に対称となる四つの固定ベースが設置され、前記固定ベースには回転ブロックが回転できるように装着され、前記回転ブロックの中の底部端面には支持カバーが設置され、前記支持カバーの中には前記デスク板の高さと角度を調節できる調節部品が設置され、前記回転ブロックは回転柱により前記固定ベースと連結され、前記固定ベースの中には位置制限溝が設置され、前記回転柱には位置制限ブロックが設置され、前記位置制限ブロックは前記位置制限溝とスライドできるように連結され、前記デスク板の中には上下に貫通している二つの放熱チャンバが設置され、前記放熱チャンバの内壁には均一的に分布している三つの支持ロッドが設置され、前記支持ロッドの間にはファン底ブロックが設置され、前記放熱チャンバの内壁の間にはフィルターが設置され、前記フィルターと前記ファン底ブロックとの間にはファンが回転できるように装着され、前記デスク板の中には前記ファンの回転を制御できる二つの対称的な回転部品が設置され、前記デスク板の頂部端面にはマウスバッドが設置され、前記デスク板の頂部端面の前記マウスバッドの前側に位置しているところには右手首を保護する右シリカゲルブロックが設置され、前記デスク板の頂部端面には左手首を保護する左シリカゲルブロックが設置されている。
【０００６】
更の技術プランとして、前記調節部品は前記支持カバーとスライドできるように連結されている支持柱を含み、前記支持柱の後側端面にはラックが設置され、前記支持カバーの後側端面の中には押しブロックが弾性を持つように装着され、前記押しブロックの上方には弾力チャンバが設置され、前記弾力チャンバの中には引っ掛かりブロックが弾性を持つように装着され、前記引っ掛かりブロックは前記支持柱と噛み合うことができ、前記引っ掛かりブロックと前記押しブロックとの間は歯車により噛み合うように連結されている。
【０００７】
更の技術プランとして、前記伸縮板部品は前記デスク板の底部端面に固定的に装着されている八つの固定ブロックを含み、一番後側の前記固定ブロックの右側端面には後阻み板が設置され、左右両側の前記固定ブロックの間にはスライド板がスライドできるように装着され、前記スライド板の底部端面にはスライド板ブロックが設置され、前記デスク板の前側端面には磁力溝が設置され、前記磁力溝の左右壁の間には回転阻み板が回転できるように装着され、前記磁力溝の後側壁の中には磁石が設置され、前記磁石は前記回転阻み板と吸着し合う。
【０００８】
更の技術プランとして、前記回転部品が二つあり、左側の前記回転部品を例とし、前記回転部品は前記放熱チャンバの左側に位置している伝動チャンバを含み、前記伝動チャンバの左側壁の中にはモーターが設置され、前記モーターの右側の出力軸が側傘歯車と連結され、前記伝動チャンバの上下壁の間には回転軸が回転できるように装着され、前記回転軸にはベルトプーリと底傘歯車とが設置され、前記底傘歯車が前記側傘歯車と噛み合っており、前記ベルトプーリと前記ファンとの間は輪ゴムにより連結されている。
【０００９】
更の技術プランとして、前記位置固定部品は前記デスク板の頂部端面に位置している二つの上方へ開口した阻み板溝を含み、前記阻み板溝の内壁の間には位置制限阻み板が回転できるように装着され、前記デスク板の頂部端面には後阻みブロックが設置され、前記後阻みブロックの前側端面には斜面ブロックが設置されている。
【発明の効果】
【００１０】
本発明の有益的な効果は：本発明のデスクの面は大きくて且つ位置固定部品の位置制限があり、ノートパソコンを使用するときにマウスを操作するスペースが十分あり、底部には伸縮板部品があってスライド板の上に紙と筆あるいはお弁当などの物を置くことができ、調節部品はデスクの面の高さと角度を調節でき、歯車とラックとの伝動の調節方法で使用状態において揺れにくいことを保証し、安定性が高く、普及する価値がある。
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の全体構成模式図
【図２】図２は図１のＡ−Ａ方向の断面構成模式図
【図３】図３は図１のＢ方向の構成模式図
【図４】図４は図２のＣ方向の構成模式図
【図５】図５は図２のＤの拡大模式図
【図６】図６は図２のＥ方向の構成模式図
【図７】図７は図３のＦ−Ｆ方向の断面構成模式図
【発明を実施するための形態】
【００１３】
図１〜７を参照し、本発明の実施例のノートパソコンデスクは、デスク板１０を含み、前記デスク板１０の頂部端面にはノートパソコンの位置を固定できる位置固定部品９０１が設置され、前記デスク板１０には物を置くことができる伸縮板部品９０２が設置され、前記デスク板１０の底部端面には前後左右に対称となる四つの固定ベース２７が設置され、前記固定ベース２７には回転ブロック２６が回転できるように装着され、前記回転ブロック２６の中の底部端面には支持カバー２３が設置され、前記支持カバー２３の中には前記デスク板１０の高さと角度を調節できる調節部品９０３が設置され、前記回転ブロック２６は回転柱３４により前記固定ベース２７と連結され、前記固定ベース２７の中には位置制限溝３５が設置され、前記回転柱３４には位置制限ブロック３６が設置され、前記位置制限ブロック３６は前記位置制限溝３５とスライドできるように連結され、前記デスク板１０の中には上下に貫通している二つの放熱チャンバ１３が設置され、前記放熱チャンバ１３の内壁には均一的に分布している三つの支持ロッド４４が設置され、前記支持ロッド４４の間にはファン底ブロック４３が設置され、前記放熱チャンバ１３の内壁の間にはフィルター４１が設置され、前記フィルター４１と前記ファン底ブロック４３との間にはファン４２が回転できるように装着され、前記デスク板１０の中には前記ファン４２の回転を制御できる二つの対称的な回転部品９０４が設置され、前記デスク板１０の頂部端面にはマウスバッド１７が設置され、前記デスク板１０の頂部端面の前記マウスバッド１７の前側に位置しているところには右手首を保護する右シリカゲルブロック１８が設置され、前記デスク板１０の頂部端面には左手首を保護する左シリカゲルブロック１４が設置されている。  
【００１４】
前記調節部品９０３は前記支持カバー２３とスライドできるように連結されている支持柱４５を含み、前記支持柱４５の後側端面にはラック５１が設置され、前記支持カバーの後側端面の中には押しブロック５０が弾性を持つように装着され、前記押しブロック５０の上方には弾力チャンバ４６が設置され、前記弾力チャンバ４６の中には引っ掛かりブロック４７が弾性を持つように装着され、前記引っ掛かりブロック４７は前記支持柱４５と噛み合うことができ、前記引っ掛かりブロック４７と前記押しブロック５０との間は歯車４８により噛み合うように連結され、支持柱４５の長さを調節する時に押しブロック５０を押して噛み合いにより歯車４８を連動させて回転させ、歯車４８は噛み合いにより引っ掛かりブロック４７を連動させて後方へ移動させ、引っ掛かりブロック４７とラック５１との噛み合いが解除された後、支持柱４５が上下に移動して調節でき、位置制限ブロック３６と位置制限溝３５との位置制限で支持カバー２３の揺れ動かく幅を制御できる。  
【００１５】
前記伸縮板部品９０２は前記デスク板１０の底部端面に固定的に装着されている八つの固定ブロック２５を含み、一番後側の前記固定ブロック２５の右側端面には後阻み板３０が設置され、左右両側の前記固定ブロック２５の間にはスライド板２４がスライドできるように装着され、前記スライド板２４の底部端面にはスライド板ブロック２８が設置され、前記デスク板１０の前側端面には磁力溝２０が設置され、前記磁力溝２０の左右壁の間には回転阻み板２２が回転できるように装着され、前記磁力溝２０の後側壁の中には磁石２１が設置され、前記磁石２１は前記回転阻み板２２と吸着し合い、これによりスライド板２４を使用しない時に、回転阻み板２２は磁石２１に吸い付けられてスライド板２４を阻み、スライド板２４の滑り出ることを避け、スライド板２４を使用するとき、調節部品９０３を調節し、デスク板１０を水平に保ち、回転阻み板２２を手動で上方へ半周回転させて磁石２１に吸いつけられ、スライド板ブロック２８によりスライド板２４が一部滑り出る。
【００１６】
前記回転部品９０４が二つあり、左側の前記回転部品９０４を例とし、前記回転部品９０４は前記放熱チャンバ１３の左側に位置している伝動チャンバ３３を含み、前記伝動チャンバ３３の左側壁の中にはモーター３１が設置され、前記モーター３１の右側の出力軸が側傘歯車３２と連結され、前記伝動チャンバ３３の上下壁の間には回転軸３７が回転できるように装着され、前記回転軸３７にはベルトプーリ３８と底傘歯車４０とが設置され、前記底傘歯車４０が前記側傘歯車３２と噛み合っており、前記ベルトプーリ３８と前記ファン４２との間は輪ゴムにより連結され、これによりモーター３１が起動する時、側傘歯車３２を連動させて回転させ、側ベベルギヤ３２は噛み合いにより底傘歯車４０と、ベルトプーリ３８と、回転軸３７とを連動させて回転させ、ベルトプーリ３８がベルトの伝動によりファン４２を連動させて回転させる。
【００１７】
前記位置固定部品９０１は前記デスク板１０の頂部端面に位置している二つの上方へ開口した阻み板溝１５を含み、前記阻み板溝１５の内壁の間には位置制限阻み板１６が回転できるように装着され、前記デスク板１０の頂部端面には後阻みブロック１１が設置され、前記後阻みブロック１１の前側端面には斜面ブロック１２が設置され、これによりノートパソコンを置く時、二つのところの位置制限阻み板１６を上方へ回転させ、ノートパソコンを斜面ブロック１２に置く。
【００１８】
使用するとき、支持カバー２３を回転させて回転ブロック２６とスライド板２４とを連動させて回転させ、押しブロック５０を押して噛み合いにより歯車４８を連動させて回転させ、歯車４８は噛み合いにより引っ掛かりブロック４７を連動させて後方へ移動させ、引っ掛かりブロック４７とラック５１との噛み合いが解除された後、支持柱４５が上下に移動して調節でき、二つのところの位置制限阻み板１６を引き動かし、ノートパソコンを斜面ブロック１２に置き、ノートパソコンの右側位置と前後二つのところの移動が制限され、ノートパソコンを使用する時に左手を左シリカゲルブロック１４の上に置き、右手を右シリカゲルブロック１８の上に置き、マウスバッド１７の上でマウスを使用し、モーター３１を始動して側傘歯車３２を連動させて回転させ、側傘歯車３２は噛み合いにより底傘歯車４０と、ベルトプーリ３８と、回転軸３７とを連動させて回転させ、、ベルトプーリ３８はベルト伝動によりファン４２を連動させて回転させ、ファン４２がノートパソコンの熱を放散し始め、両側の固定ブロック２５の間の隙間はファン４２が回転しているときの換気に便利を与える。
【００１９】
スライド板２４を使用しない時、回転阻み板２２は磁石２１に吸いつけられてスライド板２４を阻み、スライド板２４の滑り出ることを避け、スライド板２４を使用するとき、調節部品９０３を調節し、デスク板１０を水平に保ち、回転阻み板２２を上方へ半周回させて磁石２１に吸いつけられ、スライド板ブロック２８によりスライド板２４が一部滑り出て、スライド板２４の上に茶碗または紙と筆を置くことができる。
【００２０】
本発明の有益的な効果は：本発明のデスクの面は大きくて且つ位置固定部品の位置制限があり、ノートパソコンを使用するときにマウスを操作するスペースが十分あり、底部には伸縮板部品があってスライド板の上に紙と筆あるいはお弁当などの物を置くことができ、調節部品はデスクの面の高さと角度を調節でき、歯車とラックとの伝動の調節方法で使用状態において揺れにくいことを保証し、安定性が高く、普及する価値がある。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179127.tif 000003
【図２】
2020179127.tif 000004
【図３】
2020179127.tif 000005
【図４】
2020179127.tif 000006
【図５】
2020179127.tif 000007
【図６】
2020179127.tif 000008
【図７】
2020179127.tif 000009
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
正面視で、デスク板を含み、前記デスク板の頂部端面にはノートパソコンの位置を固定できる位置固定部品が設置され、前記デスク板には物を置くことができる伸縮板部品が設置され、前記デスク板の底部端面には前後左右に対称となる四つの固定ベースが設置され、前記固定ベースには回転ブロックが回転できるように装着され、前記回転ブロックの中の底部端面には支持カバーが設置され、前記支持カバーの中には前記デスク板の高さと角度を調節できる調節部品が設置され、前記回転ブロックは回転柱により前記固定ベースと連結され、前記固定ベースの中には位置制限溝が設置され、前記回転柱には位置制限ブロックが設置され、前記位置制限ブロックは前記位置制限溝とスライドできるように連結され、前記デスク板の中には上下に貫通している二つの放熱チャンバが設置され、前記放熱チャンバの内壁には均一的に分布している三つの支持ロッドが設置され、前記支持ロッドの間にはファン底ブロックが設置され、前記放熱チャンバの内壁の間にはフィルターが設置され、前記フィルターと前記ファン底ブロックとの間にはファンが回転できるように装着され、前記デスク板の中には前記ファンの回転を制御できる二つの対称的な回転部品が設置され、前記デスク板の頂部端面にはマウスバッドが設置され、前記デスク板の頂部端面の前記マウスバッドの前側に位置しているところには右手首を保護する右シリカゲルブロックが設置され、前記デスク板の頂部端面には左手首を保護する左シリカゲルブロックが設置されており、
前記調節部品は前記支持カバーとスライドできるように連結されている支持柱を含み、前記支持柱の後側端面にはラックが設置され、前記支持カバーの後側端面の中には押しブロックが弾性を持つように装着され、前記押しブロックの上方には弾力チャンバが設置され、前記弾力チャンバの中には引っ掛かりブロックが弾性を持つように装着され、前記引っ掛かりブロックは前記支持柱にある前記ラックと噛み合うことができ、前記引っ掛かりブロックと前記押しブロックとの間は歯車により噛み合うように連結され、支持柱の長さを調節する時に押しブロックを押して噛み合いにより歯車を連動させて回転させ、歯車は噛み合いにより引っ掛かりブロックを連動させて後方へ移動させ、引っ掛かりブロックとラックとの噛み合いが解除された後、支持柱が上下に移動して調節でき、位置制限ブロックと位置制限溝との位置制限で支持カバーの揺れ動かく幅を制御でき、
前記伸縮板部品は前記デスク板の底部端面に固定的に装着されている八つの固定ブロックを含み、一番後側の前記固定ブロックの右側端面には後阻み板が設置され、左右両側の前記固定ブロックの間にはスライド板がスライドできるように装着され、前記スライド板の底部端面にはスライド板ブロックが設置され、前記デスク板の前側端面には磁力溝が設置され、前記磁力溝の左右壁の間には回転阻み板が回転できるように装着され、前記磁力溝の後側壁の中には磁石が設置され、前記磁石は前記回転阻み板と吸着し合い、これによりスライド板を使用しない時に、回転阻み板は磁石に吸い付けられてスライド板を阻み、スライド板の滑り出ることを避け、スライド板を使用するとき、調節部品を調節し、デスク板を水平に保ち、回転阻み板を手動で上方へ半周回転させて磁石に吸いつけられ、スライド板ブロックによりスライド板が一部滑り出、 
前記回転部品が左右に同じであるように二つ設置され、左側の前記回転部品を例として詳しく説明し、右側の前記回転部品は左側の前記回転部品と同じ構成を有し、前記回転部品は前記放熱チャンバの左側に位置している伝動チャンバを含み、前記伝動チャンバの左側壁の中にはモーターが設置され、前記モーターの右側の出力軸が側傘歯車と連結され、前記伝動チャンバの上下壁の間には回転軸が回転できるように装着され、前記回転軸にはベルトプーリと底傘歯車とが設置され、前記底傘歯車が前記側傘歯車と噛み合っており、前記ベルトプーリと前記ファンとの間は輪ゴムにより連結され、これによりモーターが起動する時、側傘歯車を連動させて回転させ、側ベベルギヤは噛み合いにより底傘歯車と、ベルトプーリと、回転軸とを連動させて回転させ、ベルトプーリがベルトの伝動によりファンを連動させて回転させ、
前記位置固定部品は前記デスク板の頂部端面に位置している二つの上方へ開口した阻み板溝を含み、前記阻み板溝の内壁の間には位置制限阻み板が回転できるように装着され、前記デスク板の頂部端面には後阻みブロックが設置され、前記後阻みブロックの前側端面には斜面ブロックが設置され、これによりノートパソコンを置く時、二つのところの位置制限阻み板を上方へ回転させ、ノートパソコンを斜面ブロックに置くことを特徴とするノートパソコンデスク。
【手続補正２】
【補正対象書類名】明細書
【補正対象項目名】全文
【補正方法】変更
【補正の内容】
【発明の詳細な説明】
【技術分野】
【０００１】
本発明はノートパソコン付属品の分野を取り上げて、具体的にはノートパソコンデスクである。 
【背景技術】
【０００２】
ベッドでノートパソコンを使う時、ノートパソコンデスクを利用してノートパソコンを置き、しかし、ほとんどの調節できるノートパソコンデスクは安定性が悪く、使用する時前後に揺れ動き、非常に不便であり、且つデスクの面は小さく、マウスを使用する時に不便であり、紙とペンを使用するときも相応する空いた場所がない。 
【先行技術文献】
【特許文献】
【０００３】
【特許文献１】中国特許出願公開第１０４０６３０２６号明細書
【発明の概要】
【発明が解決しようとする課題】
【０００４】
本発明はノートパソコンデスクを提供し、従来技術における上記欠点を解消することを目的とする。 
【課題を解決するための手段】
【０００５】
本発明の実施例のノートパソコンデスクは、デスク板を含み、前記デスク板の頂部端面にはノートパソコンの位置を固定できる位置固定部品が設置され、前記デスク板には物を置くことができる伸縮板部品が設置され、前記デスク板の底部端面には前後左右に対称となる四つの固定ベースが設置され、前記固定ベースには回転ブロックが回転できるように装着され、前記回転ブロックの中の底部端面には支持カバーが設置され、前記支持カバーの中には前記デスク板の高さと角度を調節できる調節部品が設置され、前記回転ブロックは回転柱により前記固定ベースと連結され、前記固定ベースの中には位置制限溝が設置され、前記回転柱には位置制限ブロックが設置され、前記位置制限ブロックは前記位置制限溝とスライドできるように連結され、前記デスク板の中には上下に貫通している二つの放熱チャンバが設置され、前記放熱チャンバの内壁には均一的に分布している三つの支持ロッドが設置され、前記支持ロッドの間にはファン底ブロックが設置され、前記放熱チャンバの内壁の間にはフィルターが設置され、前記フィルターと前記ファン底ブロックとの間にはファンが回転できるように装着され、前記デスク板の中には前記ファンの回転を制御できる二つの対称的な回転部品が設置され、前記デスク板の頂部端面にはマウスバッドが設置され、前記デスク板の頂部端面の前記マウスバッドの前側に位置しているところには右手首を保護する右シリカゲルブロックが設置され、前記デスク板の頂部端面には左手首を保護する左シリカゲルブロックが設置されている。 
【０００６】
更の技術プランとして、前記調節部品は前記支持カバーとスライドできるように連結されている支持柱を含み、前記支持柱の後側端面にはラックが設置され、前記支持カバーの後側端面の中には押しブロックが弾性を持つように装着され、前記押しブロックの上方には弾力チャンバが設置され、前記弾力チャンバの中には引っ掛かりブロックが弾性を持つように装着され、前記引っ掛かりブロックは前記支持柱にある前記ラックと噛み合うことができ、前記引っ掛かりブロックと前記押しブロックとの間は歯車により噛み合うように連結されている。 
【０００７】
更の技術プランとして、前記伸縮板部品は前記デスク板の底部端面に固定的に装着されている八つの固定ブロックを含み、一番後側の前記固定ブロックの右側端面には後阻み板が設置され、左右両側の前記固定ブロックの間にはスライド板がスライドできるように装着され、前記スライド板の底部端面にはスライド板ブロックが設置され、前記デスク板の前側端面には磁力溝が設置され、前記磁力溝の左右壁の間には回転阻み板が回転できるように装着され、前記磁力溝の後側壁の中には磁石が設置され、前記磁石は前記回転阻み板と吸着し合う。 
【０００８】
更の技術プランとして、前記回転部品が左右に同じであるように二つ設置され、左側の前記回転部品を例として詳しく説明し、右側の前記回転部品は左側の前記回転部品と同じ構成を有し、前記回転部品は前記放熱チャンバの左側に位置している伝動チャンバを含み、前記伝動チャンバの左側壁の中にはモーターが設置され、前記モーターの右側の出力軸が側傘歯車と連結され、前記伝動チャンバの上下壁の間には回転軸が回転できるように装着され、前記回転軸にはベルトプーリと底傘歯車とが設置され、前記底傘歯車が前記側傘歯車と噛み合っており、前記ベルトプーリと前記ファンとの間は輪ゴムにより連結されている。 
【０００９】
更の技術プランとして、前記位置固定部品は前記デスク板の頂部端面に位置している二つの上方へ開口した阻み板溝を含み、前記阻み板溝の内壁の間には位置制限阻み板が回転できるように装着され、前記デスク板の頂部端面には後阻みブロックが設置され、前記後阻みブロックの前側端面には斜面ブロックが設置されている。 
【発明の効果】
【００１０】
本発明の有益的な効果は：本発明のデスクの面は大きくて且つ位置固定部品の位置制限があり、ノートパソコンを使用するときにマウスを操作するスペースが十分あり、底部には伸縮板部品があってスライド板の上に紙と筆あるいはお弁当などの物を置くことができ、調節部品はデスクの面の高さと角度を調節でき、歯車とラックとの伝動の調節方法で使用状態において揺れにくいことを保証し、安定性が高く、普及する価値がある。 
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１２】
【図１】図１は本発明の全体構成模式図
【図２】図２は図１のＡ−Ａ方向の断面構成模式図
【図３】図３は図１のＢ方向の構成模式図
【図４】図４は図２のＣ方向の構成模式図
【図５】図５は図２のＤの拡大模式図
【図６】図６は図２のＥ方向の構成模式図
【図７】図７は図３のＦ−Ｆ方向の断面構成模式図
【発明を実施するための形態】
【００１３】
図１〜７を参照し、本発明の実施例のノートパソコンデスクは、デスク板１０を含み、前記デスク板１０の頂部端面にはノートパソコンの位置を固定できる位置固定部品９０１が設置され、前記デスク板１０には物を置くことができる伸縮板部品９０２が設置され、前記デスク板１０の底部端面には前後左右に対称となる四つの固定ベース２７が設置され、前記固定ベース２７には回転ブロック２６が回転できるように装着され、前記回転ブロック２６の中の底部端面には支持カバー２３が設置され、前記支持カバー２３の中には前記デスク板１０の高さと角度を調節できる調節部品９０３が設置され、前記回転ブロック２６は回転柱３４により前記固定ベース２７と連結され、前記固定ベース２７の中には位置制限溝３５が設置され、前記回転柱３４には位置制限ブロック３６が設置され、前記位置制限ブロック３６は前記位置制限溝３５とスライドできるように連結され、前記デスク板１０の中には上下に貫通している二つの放熱チャンバ１３が設置され、前記放熱チャンバ１３の内壁には均一的に分布している三つの支持ロッド４４が設置され、前記支持ロッド４４の間にはファン底ブロック４３が設置され、前記放熱チャンバ１３の内壁の間にはフィルター４１が設置され、前記フィルター４１と前記ファン底ブロック４３との間にはファン４２が回転できるように装着され、前記デスク板１０の中には前記ファン４２の回転を制御できる二つの対称的な回転部品９０４が設置され、前記デスク板１０の頂部端面にはマウスバッド１７が設置され、前記デスク板１０の頂部端面の前記マウスバッド１７の前側に位置しているところには右手首を保護する右シリカゲルブロック１８が設置され、前記デスク板１０の頂部端面には左手首を保護する左シリカゲルブロック１４が設置されている。 
【００１４】
前記調節部品９０３は前記支持カバー２３とスライドできるように連結されている支持柱４５を含み、前記支持柱４５の後側端面にはラック５１が設置され、前記支持カバーの後側端面の中には押しブロック５０が弾性を持つように装着され、前記押しブロック５０の上方には弾力チャンバ４６が設置され、前記弾力チャンバ４６の中には引っ掛かりブロック４７が弾性を持つように装着され、前記引っ掛かりブロック４７は前記支持柱４５にある前記ラック５１と噛み合うことができ、前記引っ掛かりブロック４７と前記押しブロック５０との間は歯車４８により噛み合うように連結され、支持柱４５の長さを調節する時に押しブロック５０を押して噛み合いにより歯車４８を連動させて回転させ、歯車４８は噛み合いにより引っ掛かりブロック４７を連動させて後方へ移動させ、引っ掛かりブロック４７とラック５１との噛み合いが解除された後、支持柱４５が上下に移動して調節でき、位置制限ブロック３６と位置制限溝３５との位置制限で支持カバー２３の揺れ動かく幅を制御できる。 
【００１５】
前記伸縮板部品９０２は前記デスク板１０の底部端面に固定的に装着されている八つの固定ブロック２５を含み、一番後側の前記固定ブロック２５の右側端面には後阻み板３０が設置され、左右両側の前記固定ブロック２５の間にはスライド板２４がスライドできるように装着され、前記スライド板２４の底部端面にはスライド板ブロック２８が設置され、前記デスク板１０の前側端面には磁力溝２０が設置され、前記磁力溝２０の左右壁の間には回転阻み板２２が回転できるように装着され、前記磁力溝２０の後側壁の中には磁石２１が設置され、前記磁石２１は前記回転阻み板２２と吸着し合い、これによりスライド板２４を使用しない時に、回転阻み板２２は磁石２１に吸い付けられてスライド板２４を阻み、スライド板２４の滑り出ることを避け、スライド板２４を使用するとき、調節部品９０３を調節し、デスク板１０を水平に保ち、回転阻み板２２を手動で上方へ半周回転させて磁石２１に吸いつけられ、スライド板ブロック２８によりスライド板２４が一部滑り出る。
【００１６】
前記回転部品９０４が左右に同じであるように二つ設置され、左側の前記回転部品９０４を例として詳しく説明し、右側の前記回転部品９０４は左側の前記回転部品９０４と同じ構成を有し、前記回転部品９０４は前記放熱チャンバ１３の左側に位置している伝動チャンバ３３を含み、前記伝動チャンバ３３の左側壁の中にはモーター３１が設置され、前記モーター３１の右側の出力軸が側傘歯車３２と連結され、前記伝動チャンバ３３の上下壁の間には回転軸３７が回転できるように装着され、前記回転軸３７にはベルトプーリ３８と底傘歯車４０とが設置され、前記底傘歯車４０が前記側傘歯車３２と噛み合っており、前記ベルトプーリ３８と前記ファン４２との間は輪ゴムにより連結され、これによりモーター３１が起動する時、側傘歯車３２を連動させて回転させ、側ベベルギヤ３２は噛み合いにより底傘歯車４０と、ベルトプーリ３８と、回転軸３７とを連動させて回転させ、ベルトプーリ３８がベルトの伝動によりファン４２を連動させて回転させる。 
【００１７】
前記位置固定部品９０１は前記デスク板１０の頂部端面に位置している二つの上方へ開口した阻み板溝１５を含み、前記阻み板溝１５の内壁の間には位置制限阻み板１６が回転できるように装着され、前記デスク板１０の頂部端面には後阻みブロック１１が設置され、前記後阻みブロック１１の前側端面には斜面ブロック１２が設置され、これによりノートパソコンを置く時、二つのところの位置制限阻み板１６を上方へ回転させ、ノートパソコンを斜面ブロック１２に置く。 
【００１８】
使用するとき、支持カバー２３を回転させて回転ブロック２６とスライド板２４とを連動させて回転させ、押しブロック５０を押して噛み合いにより歯車４８を連動させて回転させ、歯車４８は噛み合いにより引っ掛かりブロック４７を連動させて後方へ移動させ、引っ掛かりブロック４７とラック５１との噛み合いが解除された後、支持柱４５が上下に移動して調節でき、二つのところの位置制限阻み板１６を引き動かし、ノートパソコンを斜面ブロック１２に置き、ノートパソコンの右側位置と前後二つのところの移動が制限され、ノートパソコンを使用する時に左手を左シリカゲルブロック１４の上に置き、右手を右シリカゲルブロック１８の上に置き、マウスバッド１７の上でマウスを使用し、モーター３１を始動して側傘歯車３２を連動させて回転させ、側傘歯車３２は噛み合いにより底傘歯車４０と、ベルトプーリ３８と、回転軸３７とを連動させて回転させ、、ベルトプーリ３８はベルト伝動によりファン４２を連動させて回転させ、ファン４２がノートパソコンの熱を放散し始め、両側の固定ブロック２５の間の隙間はファン４２が回転しているときの換気に便利を与える。 
【００１９】
スライド板２４を使用しない時、回転阻み板２２は磁石２１に吸いつけられてスライド板２４を阻み、スライド板２４の滑り出ることを避け、スライド板２４を使用するとき、調節部品９０３を調節し、デスク板１０を水平に保ち、回転阻み板２２を上方へ半周回させて磁石２１に吸いつけられ、スライド板ブロック２８によりスライド板２４が一部滑り出て、スライド板２４の上に茶碗または紙と筆を置くことができる。 
【００２０】
本発明の有益的な効果は：本発明のデスクの面は大きくて且つ位置固定部品の位置制限があり、ノートパソコンを使用するときにマウスを操作するスペースが十分あり、底部には伸縮板部品があってスライド板の上に紙と筆あるいはお弁当などの物を置くことができ、調節部品はデスクの面の高さと角度を調節でき、歯車とラックとの伝動の調節方法で使用状態において揺れにくいことを保証し、安定性が高く、普及する価値がある。 
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。